(57)【特許請求の範囲】
【請求項１】
パトローネを収納するパトローネ収納室とパトローネから引き出した未露光の写真フイルムを収納するフイルムロール室とを設けた本体基部と、前記本体基部の背面に取り付けられ、パトローネ室の底を塞ぐ底蓋が開閉自在に取り付けられた後カバーとを備え、フイルム巻き上げ操作により未露光の写真フイルムをフイルムロール室から引き出し、撮影毎に撮影済みの写真フイルムをパトローネに収納していき、撮影済みの写真フイルムの全てをパトローネに収納した後に、前記底蓋を開いてそのパトローネをスプール軸方向に沿って取り出すようにしたレンズ付きフイルムユニットにおいて、
前記パトローネ収納室とフイルムロール室との間の底面に、前記底蓋の一部が露呈するように設けられ、前記底蓋を開く時に使用する治具を外部から挿入するための開口と、前記開口の奥に設けられ、前記治具のスプール軸方向に沿った挿入を所定量に規制する規制部材と備えたことを特徴とするレンズ付きフイルムユニット。
【請求項２】
前記開口内に臨むように前記底蓋の一部に突出して設けられ、前記治具を梃に操作した時の力点とされる掛板部と、前記規制部材から前記開口に向けて立ち上がるように設けられ、前記治具を梃に操作した時の支点とされる支点部材とを備えていることを特徴とする請求項１記載のレンズ付きフイルムユニット。
【請求項３】
前記底蓋の外面は、紙箱で覆われており、この紙箱には、前記治具を挿入する位置を表すマークが施されていることを特徴とする請求項１又は２記載のレンズ付きフイルムユニット。
【発明の詳細な説明】
【０００１】
【産業上の利用分野】
本発明は、レンズ付きフイルムユニットに関し、さらに詳しくは、露光済み写真フイルムを収納したパトローネを取り出す際の安全性及び作業性を向上させたレンズ付きフイルムユニットに関するものである。
【０００２】
【従来の技術】
通常のカメラを所持しなくても手軽に写真撮影を楽しむことができるように、本出願人からレンズ付きフイルムユニット（以下、単にフイルムユニットという）が市販されている。
【０００３】
このようなフイルムユニットは、簡単な撮影機構を備えたユニット本体に、予めパトローネ付き写真フイルムを内蔵させたもので、露光済みの写真フイルムをパトローネに巻き込むようにしているため、撮影し終わった後にはそのまま現像所に提出すればよく、面倒なフイルム巻き戻し操作は不要である。現像所ではユニット本体の底蓋をマイナスドライバーを使用して開けて露光済みの写真フイルムを巻き込んでいるパトローネを取り出せばよく、その作業を明室で行うことができる。
【０００４】
環境保全や産業廃棄物の削減等を図るために、フイルムユニットはリサイクルが行われており、外カバー等に用いられている樹脂部材等は溶解して樹脂ペレットにして再生利用される。また、外カバーで保護されている内部部品等は、検査を行い、良好なものをそのまま再利用する。
【０００５】
【発明が解決しようとする課題】
リサイクル効率としては、再利用できる部品が多いほどコストダウンが見込めるから向上する。しかしながら、現像所で、露光済みの写真フイルムを巻き込んでいるパトローネを取り出す際に、ユニット本体にドライバーを突っ込んで底蓋を開けると、再利用できる内部部品にまで損傷並びに破損を生じさせる結果となり、リサイクル効率が低下する問題点があった。
【０００６】
本発明は上記事情を考慮してなされたもので、再利用できる内部部品に対して損傷あるいは破損を生じさせないように、露光済みの写真フイルムを収納したパトローネを取り出すことができるレンズ付きフイルムユニットを提供することを目的とする。
【０００７】
【課題を解決するための手段】
上記目的を達成するために、本発明では、撮影済みの写真フイルムの全てを収納したパトローネをパトローネ収納室から取り出す時に開かれる蓋部材と、パトローネ収納室とフイルムロール室との間の底面に、前記底蓋の一部が露呈するように設けられ、前記底蓋を開く時に使用する治具を外部から挿入するための開口と、前記開口の奥に設けられ、蓋部材を開く時に使用される治具のスプール軸方向に沿った挿入を所定量に規制する規制部材と備えたものである。これによれば、治具の挿入を規制する規制部材が設けられているから、内部部品の破損又は損傷を防止することができる。また、開口内に臨むように前記底蓋の一部に突出して設けられ、前記治具を梃に操作した時の力点とされる掛板部と、前記規制部材から前記開口に向けて立ち上がるように設けられ、前記治具を梃に操作した時の支点とされる支点部材とを設け、この支点部材を支点にして治具を梃に操作して底蓋を開くようにすれば、パトローネの取り出し作業がスムーズに行える。また、底蓋の外面が紙箱等で覆われている場合には、この紙箱にマーク（目印）を表示しておけば、治具を挿入した際に確実に規制部材に当接させることができる。
【０００８】
【実施例】
レンズ付きフイルムユニット（以下「フイルムユニット」と称す。）１０は、図１に示すように、紙箱１１とユニット本体１２とから構成されており、紙箱１１には、撮影レンズ１３、シャッタボタン１４、巻き上げノブ１５、ファインダー１６、及び枚数表示窓１７等を外部に露呈させる開口及び切り欠きが形成されている。
【０００９】
ユニット本体１２は、図２に示すように、樹脂ペレットにして再生使用される本体基部１８、後カバー１９、及び前カバー２０と、検査して良好なものだけが再利用される露光ユニット２１とから構成されている。
【００１０】
本体基部１８の前面には、露光ユニット２１が着脱自在に取り付けられる。露光ユニット２１は、撮影レンズ１３、シャッタ機構、フイルム巻き上げ機構、及びシャッタチャージ機構等が組み込まれており、これらはユニット化されている。後カバー１９は、本体基部１８の背後に着脱自在に取り付けられ、本体基部１８との間でパトローネ付き写真フイルム２２を光密に収納する。
【００１１】
前カバー２０は、本体基部１８の前面に着脱自在に取り付けられ、本体基部１８との間で露光ユニット２１を挟装する。この前カバー２０の上面には、一部を切り欠いて弾性自在に形成したシャッタボタン１４が設けられている。このシャッタボタン１４の押下操作によって露光ユニット２１のシャッタ機構等が作動する。
【００１２】
本体基部１８には、パトローネ２４を収納するためのパトローネ収納室２５と、パトローネ２４から全部引き出した未露光の写真フイルム２６をフイルムロール２６ａの形態で収納するためのフイルムロール室２７とが一体成形されている。なお、巻芯に巻いたフイルムール２６ａをフイルムロール室２７に収納するようにしてもよい。
【００１３】
巻き上げノブ１５は、パトローネ収納室２５の上面に回動自在に配置され、パトローネ収納室２５に装填されたパトローネ２４のスプール３５に係合している。この巻き上げノブ１５は、一部が後カバー１９の開口３６から露呈しており、露呈した一部をフイルム巻き上げ方向（同図に示す反時計方向）に回転させることにより、スプール３５がフイルム巻き取り方向に回転して露光済みの写真フイルム２６をパトローネ２４の内部に巻き取る。
【００１４】
パトローネ収納室２５とフイルムロール室２７との底は開口となっており、パトローネ付き写真フイルム２２を装填した後に、後カバー１９に設けたプルトップ式の底蓋３１，３２によってそれぞれ塞がれる。底蓋３１は、パトローネ２４をスプール３５の軸方向に沿って取り出す際の蓋である。この底蓋３１には、先端側に２つの爪３１ａ，３１ｂが一体に形成されており、パトローネ収納室２５を塞いだ際に前カバー２０の内壁に係止される。
【００１５】
パトローネ収納室２５とフイルムロール室２７との間には、暗箱３３が設けられている。暗箱３３の背面側には露光開口（アパーチャー）が形成されている。暗箱３３の前面側には、開口３４が形成されている。この開口３４は、露光ユニット２１が取り付けられた際に撮影レンズ１３を透過した被写体光を露光開口に導く。なお、暗箱３３を露光ユニット２１に設けてもよい。また、暗箱３３を分割して一部を露光ユニット２１に、他部を本体基部１８に設け、露光ユニット２１を本体基部１８に取り付けることで暗箱３３が形成されるようにしてもよい。
【００１６】
本体基部１８には、暗箱３３の下方で、且つ、パトローネ収納室２５とフイルムロール室２７との間に、本体基部１８の成型時に生じる反り等を防止するためのリブ３６がフイルム給送方向に沿って形成されている。
【００１７】
詳しくは図３に示すように、パトローネ収納室２５の外壁と前記リブ３６との間には、リブ３６を拡大した規制リブ３７が形成されている。この規制リブ３７は、フイルムユニット１０の幅方向に沿って幅広な平板状で形成されており、底蓋３１を開く際に使用される治具のスプール３５の軸方向に沿った挿入を所定量に規制する。すなわち、規制リブ３７は、治具の挿入量を、露光ユニット２１に当接しないように、フイルムユニット１０の底面から所定量だけに規制するように設けられている。
【００１８】
規制リブ３７には、フイルムユニット１０の底面に向けてＬ字状に設けられた支点リブ３８が一体に形成されている。この支点リブ３８は、治具を梃にして使用する際の支点となる。なお、梃の操作がし易いように、支点リブ３８の先端をテーパにしてもよい。
【００１９】
ユニット本体１２の底面は、本体基部１８、後カバー１９及び前カバー２０とを取り付けることで、図４に示すように、パトローネ収納室２５とフイルムロール室２７との間に開口３９が形成される。この開口３９には、底蓋３１に隣接した位置に規制リブ３７が露呈しており、また、この開口３９に向けて支点リブ３８が立ち上がっている。そして、規制リブ３６の奥には、暗箱３３と露光ユニット２１の一部が露呈されている。
【００２０】
底蓋３１には、治具を梃に操作した際に、治具先端を引っ掛かけ易くするための掛板部３１ｃが、開口３９に向けて突出して一体に形成されている。この掛板部３１ｃに治具の先端が引っ掛かると、爪３１ａ，３１ｂが前カバー２０の内壁から外れて底蓋３１が開く。なお、爪３１ａ，３１ｂが係止される前カバー２０の内壁は、一部に切り欠き部２０ａが形成されており、負荷がかかった際に弾性変形して爪結合を解除する。
【００２１】
紙箱１１には、底蓋３１を覆う底面に、底蓋３１の開きに沿ってスムーズに破れるように底蓋３１の輪郭に沿ってミシン目１１ａが設けられている。また、このミシン目１１ａに隣接して治具を挿入する範囲を表すマーク１１ｂが印刷されている。このマーク１１ｂによって治具を挿入した際に確実に規制リブ３７に当接させることができる。
【００２２】
次に、上記構成の作用を説明する。工場では、露光ユニット２１を組み立てる。その後、露光ユニット２１単体でシャッタ機構やフイルム巻き止め機構、シャッタチャージ機構及び、フイルムカウンタ機構等の作動検査が行われる。
【００２３】
作動検査の結果、良好な露光ユニット２１だけが本体基部１８に取り付けられる。その後、この本体基部１８に前カバー２０を取り付けた状態で暗室に送られる。暗室では、パトローネ付き写真フイルム２２の装填作業を行う。この装填作業は、パトローネ２４から写真フイルム２６を引き出してフイルムロール２６ａを作成する。作成されたフイルムロール２６ａはフイルムロール室２７に、またパトローネ２４はパトローネ収納室２５にそれぞれ装填される。その後、後カバー１９を取り付け、底蓋３１，３２でパトローネ収納室２５とフイルムロール室２７との底を塞ぐことで、パトローネ付き写真フイルム２２が光密に収納される。その後は明室にて紙箱１１が被せられた後に出荷される。これにより、ユニット本体１２の底面の開口３９は、紙箱１１で隠される。
【００２４】
ユーザーは、巻き上げノブ１５をフイルム巻き上げ方向に回転させてフイルム巻き上げ操作を行う。このフイルム巻き上げ操作によって写真フイルム２６がフイルムロール室２７からパトローネ収納室２５に向けて移送される。この移送を利用してパーフォレーションに係合しているスプロケットが回転し、このスプロケットの回転を利用してシャッタチャージ機構がシャッタ機構をチャージさせる。１コマ分の写真フイルム２６の移送によりフイルム巻き止め機構がスプロケットの回転と、巻き上げノブ１５の回転操作とを阻止する。これにより、露光開口には最初のコマがセットされた状態となる。なお、この間にフイルムカウンタ機構が枚数表示板を一目盛り分だけ歩進させ、枚数表示窓１７に表示する。
【００２５】
シャッタボタン１４を押下操作すると、シャッタ機構が作動して最初のコマに露光が行われる。このシャッタ機構は、シャッタレリーズ後にフイルム巻き止め機構の作動を解除して次回のフイルム巻き上げ操作を許容する。以下、同様にしてフイルム巻き上げ操作とシャッタボタン１４の押下操作とを繰り返し行うことで露光済みの写真フイルム２６はパトローネ２４の内部に巻き取られてゆく。
【００２６】
そして、写真フイルム２６の最終コマに撮影を終えた際には、フイルムカンタ機構がフイルム巻き止め機構の作動を阻止する。これにより、全ての写真フイルム２６をパトローネ２４の内部に収納することができる。
【００２７】
撮影済みのフイルムユニット１０は、そのまま現像所に提出される。現像所では、図５に示すように、紙箱１１の底面を上に向け状態でフイルムユニット１０を載置する。そして、紙箱１１の底面に印刷されたマーク１１ｂの範囲内を確認し、この範囲内に治具、例えばマイナスドライバー４０を挿入する。これにより、ドライバー４０の先端は、紙箱１１を突き破って図４に示す開口３９に挿入される。このとき、作業者は、紙箱１１により内部を確認することができないため、ドライバー４０の先端を露光ユニット２１等に当接させる恐れがあるが、本実施例では、ドライバー４０の先端に当接してこの挿入を規制する規制リブ３７が設けられているから、露光ユニット２１に傷や損傷を生じさせることはない。
【００２８】
挿入した後には、図６に示すように、ドライバー４０を梃にして操作すると、ドライバー４０が支点リブ３８の先端を支点として回転する。このとき、ドライバー４０の先端が掛板部３１ｃに引っ掛かり、底蓋３１が持ち上げられる。この負荷により前カバー２０が弾性変形し、底蓋３１の爪３１ａ，３１ｂの結合が解除され、強固にこじ開けることなく、ズムーズに底蓋３１を開くことができる。この底蓋３１の開きに沿って紙箱１１は、ミシン目１１ａに沿って底蓋３１を覆った部分が破かれる。
【００２９】
底蓋３１を開けた後には、パトローネ２４をスプール３５の軸方向に沿って取り出す。取り出したパトローネ２４からは、従来どおりに露光済みの写真フイルム２６を引き出し、これを従来どおりに現像及び焼付け処理する。このように処理を行った後に、ユーザーにプリント写真とネガフイルムとが返却される。そして、空のフイルムユニット１０は工場に回収されリサイクルされる。
【００３０】
【発明の効果】
以上説明したように、請求項１記載の発明では、該ユニットの底面に開口を設け、この開口に治具を挿入して底蓋を開いて撮影済みの写真フイルムの全てを収納したパトローネを取り出すときに、その治具の挿入を規制する規制部材を前記開口内に設けたから、内部部品の破損又は損傷を防止することができる。これにより、リサイクルをするときに、再利用できる内部部品の数が増えるため、リサイクルの効率が向上でき、コストダウンを図ることができる。また、請求項２記載の発明では、底蓋に掛板部を設け、規制部材に支点部材を設け、掛板部を力点とし、かつ支点部材を支点にして治具を梃に操作して底蓋を開ければ、無理な力を必要とせず、楽にパトローネの取り出し作業が行える。さらに、請求項３記載の発明では、紙箱に治具の挿入位置を示したマークを施しているから、確実に規制部材に治具を当接させることができ、パトローネの取り出し作業が迅速に、且つ安全に行える。
【図面の簡単な説明】
【図１】レンズ付きフイルムユニットの外観を示す斜視図である。
【図２】ユニット本体の分解斜視図である。
【図３】本体基部を底面側から見た斜視図である。
【図４】ユニット本体を底面側から見た斜視図である。
【図５】紙箱を底面側から見た斜視図である。
【図６】マイナスドライバーを梃にして蓋部材を開いている状態を示す断面図である。
【符号の説明】
１０  レンズ付きフイルムユニット
１３  撮影レンズ
１４  シャッタボタン
１５  巻き上げノブ
２５  パトローネ収納室
３１  底蓋
３７  規制リブ
３８  支点リブ
４０  マイナスドライバー
【図１】
0003589728.tif 000002
【図２】
0003589728.tif 000003
【図３】
0003589728.tif 000004
【図４】
0003589728.tif 000005
【図５】
0003589728.tif 000006
【図６】
0003589728.tif 000007